(57)【特許請求の範囲】
【請求項１】
自体に通気性を有する紙状シートに網目状プラスチックシートのシート面同士を密接させた状態で、前記網目状プラスチックシートの面に接合用の非通気性ラミネート樹脂を供給し、前記網目状プラスチックシートの全面を覆い被せて、前記紙状シートと前記網目状プラスチックシートとを接合させ、これらシート同士の密接部分を無接合部位とし、これらシート同士の非密接部分の剥離強度が少なくとも２００ｇｆ／ｃｍである強接合部位とした複合シートを使用したことを特徴とする複合袋。
【発明の詳細な説明】
【技術分野】
【０００１】
本発明は、落袋衝撃に対して優れた耐衝撃性を有する複合袋に関するものであり、より詳しくは、防湿性を確保しつつ通気性ないし脱気性に優れ、しかも落体衝撃を分散吸収して耐衝撃性に優れ、その上材料や仕上がり容積も少なくできる複合シートを使用した複合袋に関する。
その特徴とするところは、複合袋の素材として、自体に通気性を有する紙状シートに網目状プラスチックシートを接合するに際し、これらシート同士を密接させた状態で、前記網目状プラスチックシートに接合用の非通気性ラミネート樹脂を供給し、前記網目状プラスチックシートの全面を覆い被せて、前記紙状シートと前記網目状プラスチックシートとを接合させ、これらシート同士の密接部分を無接合部位とし、これらシート同士の非密接部分の剥離強度を少なくとも２００ｇｆ／ｃｍの強接合部位として構成した複合シートを使用したことにある。
【背景技術】
【０００２】
従来の複合シートは、図４に示すように、紙体５０に接着剤５１を斜め角度に碁盤目状に塗布し、それに別の合成樹脂クロス５２を接着し、紙体５０と合成樹脂クロス５２との間に、すき間５３の非接着部を形成してなるものである（例えば、特許文献１参照）。
【０００３】
また、図５に示すように、合成樹脂クロス５２と紙体５０とを接着剤５１で接着し、その接着剤５１は巾１〜４ｍｍの細巾の縦プラスチック条５１ａが縦方向に密に配列されており、この巾１〜４ｍｍの細巾の縦プラスチック条５１ａの巾Ｗ１は合成樹脂クロス５２のメッシュｍの巾にほぼ等しいか、これより小さく、合成樹脂クロス５２のメッシュピッチｘを１０ｍｍ以下とし、その１〜３ピッチに対して、細巾の縦プラスチック条５１ａとその間隔Ｗ２の縦条ピッチｐの１ピッチが配設されている、複合シートが知られている（例えば、特許文献２参照）。
【０００４】
また、図６に示すように、合成樹脂クロス５２全面に接合されているフィルムラミネートシート５４のフィルム面５４ａに、紙体５０が重ね合わされ、フィルム面５４ａと紙体５０とが多数の点状の接着部５５を介して接着されていると共に、その紙体５０の緊張時の長さがフィルムラミネートシート５４の緊張時の長さの約１．０１〜１．２０倍となるように、その紙体５０が各接着部５５の周辺に不定形のたるみまたはたるみじわ５６を形成して起伏している、複合シートが知られている（例えば、特許文献３参照）。
【０００５】
また、図７に示すように、合成樹脂クロス５２と紙体５０との間に、合成樹脂クロス５２と全面接着し且つ紙体５０側に凹部５７を有して紙体５０と部分的に接着する合成樹脂層５８を介在させて、合成樹脂クロス５２と紙体５０とを接着すると共に、合成樹脂層５８の紙体５０側にその全長にわたる多数の排気通路５９を形成してなる、複合シートが知られている（例えば、特許文献４参照）。
【先行技術文献】
【特許文献】
【０００６】
【特許文献１】実公昭５５−３２８５４号公報
【特許文献２】実公昭６３−４８５３６号公報
【特許文献３】実公昭６０−３０８３号公報
【特許文献４】実公昭５７−２１８８７号公報
【発明の概要】
【発明が解決しようとする課題】
【０００７】
特許文献１の複合シートは、紙体５０に合成樹脂クロス５２を碁盤目状に塗布した接着剤５１により接合して通気性を確保し、且つ紙体５０に非通気性処理を施したり、接着剤５１を全面に塗布して非通気性も確保できる点で大変都合が良いが、この複合シートによる袋は、落袋衝撃を受けた際、その複合シートが均質な構成であるため、その衝撃を分散吸収しづらくなる虞がある。
【０００８】
特許文献２の複合シートは、紙体５０と合成樹脂クロス５２との接着に際し、合成樹脂クロス５２の非通気性条と接着剤５１の非通気性の縦プラスチック条５１ａとを一致させて接着して、通気性を大きく確保しているため、この複合シートによる袋は、落体衝撃を受けた際、その複合シートが均質な接合構成であるため、その衝撃を分散吸収しづらくなる。その上、通気性を大きく確保した結果接着部分が少なく、その落袋部分に衝撃が集中するから、接着部分の強度不足とも相俟って破袋する虞がある。
【０００９】
特許文献３の複合シートは、合成樹脂クロス５２の全面に接合されているフィルムラミネートシート５４のフィルム面５４ａに、紙体５０が不定形のたるみまたはたるみじわ５６を形成した状態で、接着されているから、防湿性を確保しつつ通気性ないし脱気性に優れ、しかも落体衝撃に対しても強い点で大変都合が良い。しかしながら、フィルムラミネートシート５４のフィルム面５４ａに、紙体５０が不定形のたるみまたはたるみじわ５６を形成した状態で、接着されているから、その分紙体５０を多く使用することになり、その分仕上がり容積も増えることになる。
【００１０】
特許文献４の複合シートは、合成樹脂クロス５２と紙体５０との接着に際し、合成樹脂クロス５２と全面接着し、且つ紙体５０側に凹部５７を有して紙体５０と部分的に接着する合成樹脂層５８を介在させているから、この複合シートによる袋は、落袋衝撃を受けた際、その複合シートが均質な接着構成であるためその衝撃を分散吸収しづらく、その落袋部分に衝撃が集中するから、破袋する虞がある。
【００１１】
そこで、本発明の目的は、防湿性を確保しつつ通気性ないし脱気性に優れ、しかも落体衝撃を分散吸収して耐衝撃性に優れ、その上材料や仕上がり容積も少なくできる複合シート及びそれを使用した複合袋を提供することにある。
【課題を解決するための手段】
【００１２】
本発明は、上記目的を達成するために提案されたものであって、下記の構成からなることを特徴とするものである。
すなわち、本発明によれば、自体に通気性を有する紙状シートに網目状プラスチックシートのシート面同士を密接させた状態で、前記網目状プラスチックシートの面に接合用の非通気性ラミネート樹脂を供給し、前記網目状プラスチックシートの全面を覆い被せて、前記紙状シートと前記網目状プラスチックシートとを接合させ、これらシート同士の密接部分を無接合部位とし、これらシート同士の非密接部分の剥離強度が少なくとも２００ｇｆ／ｃｍである強接合部位とした複合シートを使用したことを特徴とする複合袋が提供される。
【００１５】
本発明の複合袋の素材として用いる複合シートは、紙状シートと網目状プラスチックシートとを密接させた状態で、網目状プラスチックシートに非通気性ラミネート樹脂を供給しその全面を覆い被せて、紙状シートと非通気性ラミネート樹脂双方のシートを接合させているから、防湿性を有し且つ紙状シートでの通気性ないし脱気性も確保でき、その接合に際し強接合部位と無接合部位とが生じているから、衝撃を受けた際、無接合部位にてその衝撃を分散吸収して、その衝撃部分に衝撃が集中しづらくなって、破損を防ぐことが出来る。
【００１６】
また、この複合袋は、強接合部位の剥離強度が少なくとも２００ｇｆ／ｃｍであることにより、衝撃が脱気通路となる無接合部位により分散吸収して、その衝撃部分に衝撃が集中しづらくなって、落袋時の破損を防ぐことが出来る。
【発明の効果】
【００１８】
本発明の複合袋は、防湿性を確保しつつ通気性ないし脱気性に優れ、しかも衝撃を受けた際、無接合部位が脱気通路として機能し、落袋衝撃を分散吸収するから耐衝撃性に優れているという効果がある。
【００１９】
また、本発明の複合袋は、その接合に際し強接合部位と無接合部位とが生じていても、上記の効果を得ることができる。
【００２１】
上述したように、本発明の複合袋は、防湿性を確保しつつ通気性ないし脱気性に優れ、しかも落袋衝撃を分散吸収するから耐衝撃性に優れ、その上材料や仕上がり容積も少なく出来るという優れた効果を奏し得るものである。
【図面の簡単な説明】
【００２２】
【図１】本発明の実施の形態を示す複合袋を構成する複合シートの一部の平面図である。
【図２】図１のＸ−Ｙに沿う断面図である。
【図３】本発明の複合袋の実施の形態を示す複合シートの製作状態を示す斜視図である。
【図４】従来例を示す断面図である。
【図５】従来例を示す断面図である。
【図６】従来例を示す断面図である。
【図７】従来例を示す断面図である。
【発明を実施するための形態】
【００２３】
以下に、図面を参照して本発明を実施するための形態を説明する。
【００２４】
図面において、複合袋の素材となる複合シート１は、紙状シート２に網目状プラスチックシート３を接合するに際し、これら両シート２、３同士を密接させた状態で、前記網目プラスチックシート３の前面を覆い被せて、前記紙状シート２と前記網目状プラスチックシート３とを密接させ、これらシート２，３同士の密接部分を無接合部位７とし、これらシート２，３同士の非密接部分を強接合部位５として構成したものである。
【００２５】
前記紙状シート２は、それ自体に通気性があるシートであれば特に限定がないが、なかでも、クラフト紙またはエンボス加工紙が好適に用いられる。
【００２６】
前記網目状プラスチックシート３は、網目状のシートであれば特に限定がなく、割布、ソフクロス、ポリエチレンクロスなどが例示される。
【００２７】
前記非通気性ラミネート樹脂４は、前記紙状シート２と前記網目状プラスチックシート３とを接合することができる接合剤であれば、特に限定がないが、従来公知のポリオレフィン系の樹脂が多く使用される。
【００２８】
なお、本発明の複合袋の前記強接合部位５は、その剥離強度が２００ｇｆ／ｃｍ以上であり、また、前記無接合部位７は、接合していないのであるから剥離強度は０ｇｆ／ｃｍである。このような強接合部位５と無接合部位７とを有する複合シート１にて製造した複合袋では、収納物が入った状態での落袋の際、その衝撃を脱気通路６として機能する無接合部位７にて分散吸収して、その落袋部分に衝撃が集中しづらくなって、破損を防ぐことができる。
【実施例】
【００２９】
図１ないし３は本発明の複合袋の素材として用いる複合シート１を示し、この複合シート１と紙状シート２に網目状プラスチックシート３を接合するに際し、これらシート２、３同士を密接させた状態で、網目状プラスチックシート３に接合用の非通気性ラミネート樹脂４を供給しその網目状プラスチックシート３全面を覆い被せて紙状シート２と網目状プラスチックシート３とを接合圧力を強にして密接させ、これらシート２、３同士の密接部分を無接合部位７とし、これらシート２、３同士の非密接部分を強接合部位５としたものである。
【００３０】
本発明の複合袋の素材である複合シート１は、上記のように形成されているので、紙状シート２に網目状プラスチックシート３を、その全面を非通気性ラミネート樹脂４にて覆い被せた状態で、接合させているから、防湿性を有し且つ紙状シート２での通気性ないし脱気性も確保でき、その上、特定の剥離強度を有する強接合部位５と無接合部位７とが生じているから、この複合シート１にて製造した複合袋では、収納物が入った状態での落袋の際、その衝撃を脱気通路として機能する無接合部位７にて分散吸収して、その落袋部分に衝撃が集中しづらくなって、破損を防ぐことができるものである。
【００３１】
以上、本発明の実施例を説明したが、具体的な構成はこれに限定されず、本発明の要旨を逸脱しない範囲での変更は適宜可能であることは理解されるべきである。
【産業上の利用可能性】
【００３２】
本発明の複合袋は、防湿性を確保しつつ通気性ないし脱気性に優れ、しかも落体衝撃を分散吸収して耐衝撃性に優れ、その上材料や仕上がり容積も少なくできる複合袋を得たいような場合に、利用可能性が極めて高くなる。
【符号の説明】
【００３３】
１                        複合シート
２                        紙状シート
３                        網目状プラスチックシート
４                        非通気性ラミネート樹脂
５                        強接合部位
６                        脱気通路
７                        無接合部位
５０                      紙体
５１                      接着剤
５１ａ                    縦プラスチック条
５２                      合成樹脂クロス
５３                      すき間
５４                      フィルムラミネートシート
５４ａ                    フィルム面
５５                      接着部
５６                      たるみまたはたるみじわ
５７                      凹部
５８                      合成樹脂層
５９                      排気通路
【図１】
0005709689.tif 000002
【図２】
0005709689.tif 000003
【図３】
0005709689.tif 000004
【図４】
0005709689.tif 000005
【図５】
0005709689.tif 000006
【図６】
0005709689.tif 000007
【図７】
0005709689.tif 000008